(57)【要約】【課題】立体表示装置に用いる面光源装置において、クロストークの発生を抑制し、立体映像の鮮明化を図る。【解決手段】略楔形状をした導光板３２ａの斜面と略楔形状をした導光板３２ｂの斜面とを重ね合わせて導光体３２を形成する。導光板３２ａの端面のうち厚さの厚い側の端面３８ａに対向させて左側用光源３３ａを配置する。導光板３２ｂの端面のうち厚さの厚い側の端面３８ａに対向させて右側用光源３３ｂを配置する。導光板３２ａは、導光板３２ｂの陰となる領域に納まるように、厚みの薄い側の端面３８ｂが導光板３２ｂの端面３８ａから引っ込めて配置される。また、導光板３２ｂは、導光板３２ａの陰となる領域に納まるように、厚みの薄い側の端面３８ｂが導光板３２ａの端面３８ａから引っ込めて配置される。【選択図】図３
2011258532.tif 000002
【特許請求の範囲】
【請求項１】
第１の導光板と、
前記第１の導光板の第１の端面に対向させて配置された第１の光源と、
第２の導光板と、
前記第２の導光板の第１の端面に対向させて配置された第２の光源と、
を備え、前記第１の導光板と前記第２の導光板を重ね合わせて導光体を構成された面光源装置において、
前記第１の導光板における前記第１の端面と、前記第２の導光板において前記第１の端面と反対側に位置する第２の端面とが同じ側に位置し、かつ、前記第１の導光板において前記第１の端面と反対側に位置する第２の端面と、前記第２の導光板における前記第１の端面とが同じ側に位置するようにして、前記第１の導光板と前記第２の導光板とが重ね合わされ、
前記第１の導光板における前記第２の端面が、前記第２の導光板における前記第１の端面よりも前記第２の導光板における前記第２の端面側へずれていることを特徴とする面光源装置。
【請求項２】
さらに、前記第２の導光板における前記第２の端面が、前記第１の導光板における前記第１の端面よりも前記第１の導光板における前記第２の端面側へずれていることを特徴とする、請求項１に記載の面光源装置。
【請求項３】
第１の導光板と、
前記第１の導光板の第１の端面に対向させて配置された第１の光源と、
第２の導光板と、
前記第２の導光板の第１の端面に対向させて配置された第２の光源と、
を備え、前記第１の導光板と前記第２の導光板を重ね合わせて導光体を構成された面光源装置において、
前記第１の導光板における前記第１の端面と、前記第２の導光板において前記第１の端面と反対側に位置する第２の端面とが同じ側に位置し、かつ、前記第１の導光板において前記第１の端面と反対側に位置する第２の端面と、前記第２の導光板における前記第１の端面とが同じ側に位置するようにして、前記第１の導光板と前記第２の導光板とが重ね合わされ、
前記第１の導光板が、前記第２の光源から見て前記第２の導光板の前記第１の端面により光学的に隠れる領域に位置することを特徴とする面光源装置。
【請求項４】
さらに、前記第２の導光板が、前記第１の光源から見て前記第１の導光板の前記第１の端面により光学的に隠れる領域に位置することを特徴とする、請求項３に記載の面光源装置。
【請求項５】
前記第１の光源を実装された第１の配線基板と、前記第２の光源を実装された第２の配線基板とを有し、
前記第２の配線基板の少なくとも一部が、前記第２の導光板の、前記第１の導光板が重ねられた側の面における前記第１の端面近傍に形成された空間に配置されていることを特徴とする、請求項１または３に記載の面光源装置。
【請求項６】
前記第１の光源を実装された第１の配線基板と、前記第２の光源を実装された第２の配線基板とを有し、
前記第１の配線基板の少なくとも一部が、前記第１の導光板の、前記第２の導光板が重ねられた側の面における前記第１の端面近傍に形成された空間に配置されていることを特徴とする、請求項２または４に記載の面光源装置。
【請求項７】
前記第１の導光板の前記第２の端面と前記第２の導光板の前記第２の端面のうち少なくとも一方の第２の端面に、光吸収部材を設けたことを特徴とする、請求項１または３に記載の面光源装置。
【請求項８】
前記第１の導光板と前記第２の導光板のうち少なくとも一方の導光板において、当該導光板の前記第２の端面が、当該導光板の前記第１の端面に対して傾いていることを特徴とする、請求項１または３に記載の面光源装置。
【請求項９】
請求項１または３に記載した面光源装置の前方に、光学シート及び液晶パネルを配置したことを特徴とする立体表示装置。
【発明の詳細な説明】
【技術分野】
【０００１】
本発明は面光源装置及び立体表示装置に関する。具体的には、画像や映像を三次元表示させるための立体表示装置と、当該立体表示装置に用いる面光源装置に関する。
【背景技術】
【０００２】
いわゆる三次元映像を表示させるための立体表示装置には、観察用の眼鏡を使用する方法と、眼鏡を使用しない方法とがある。しかし、眼鏡を使用する方法では、観察者が眼鏡を頭部に装着しなければならないので煩わしく、また観察者に不快感を与えることがある。そのため、立体表示装置としては、眼鏡を使用しない方法が望まれている。
【０００３】
眼鏡を使用しない立体表示装置としては、たとえば特許文献１に開示されたものや、特許文献２に開示されたものがある。
【０００４】
（特許文献１について）
特許文献１に開示された立体表示装置１１を図１（Ａ）に示す。この立体表示装置１１では、楔形をした導光板１２ａと同じく楔形をした導光板１２ｂを重ね合わせて導光体１２を形成している。導光板１２ａと導光板１２ｂは、空気層を介して重ね合わされており、導光板１２ａの厚さの厚い側の端面と導光板１２ｂの厚さの薄い側の端面は、左右の位置を揃えられており、導光板１２ａの厚さの薄い側の端面と導光板１２ｂの厚さの厚い側の端面も、左右の位置を揃えられている。左側用光源１３ａは、導光板１２ａの厚さの厚い端面に対向している。右側用光源１３ｂは、導光板１２ｂの厚さの厚い端面に対向している。また、導光体１２の前面には、プリズムシート１４が配置され、その前面には液晶パネル１５が配置されている。
【０００５】
そして、液晶パネル１５は時分割的に右眼用画像と左眼用画像とを交互に表示しており、左側用光源１３ａは左眼用画像と同期して発光し（この時右側用光源１３ｂは消灯する。）、右側用光源１３ｂは右眼用画像と同期して発光する（この時左側用光源１３ａは消灯する）。その結果、立体表示装置１１では、左側用光源１３ａから出射された左側照明光１６ａは左眼用画像に変換されて観察者の左眼１７ａに入射し、右側用光源１３ｂから出射された右側照明光１６ｂは右眼用画像に変換されて観察者の右眼１７ｂに入射し、観察者により立体映像が認識される。
【０００６】
しかし、導光板１２ａ、１２ｂは樹脂成形によって製造される。このとき両導光板１２ａ、１２ｂの厚さの薄い側の端面の厚みをあまり薄くすると、当該端面に成形不良が生じたり、立体表示装置１１の製造工程や組立工程において当該端面に欠けが生じるおそれがある。そのため実際には、図１（Ｂ）に示すように、導光板１２ａ、１２ｂの厚さの薄い側の端面１８には、それぞれある程度の厚みを持たせている。
【０００７】
その結果、厚さの薄い側の端面１８から入射した光によって迷光が発生し、それが原因となって立体表示装置１１にクロストークが発生する。クロストークとは、左側用光源１３ａから出た光の一部が右側照明光１６ｂと同じ方向へ出射されて左眼用画像が観察者の右眼１７ｂに入射したり、あるいは、右側用光源１３ｂから出た光の一部が左側照明光１６ａと同じ方向へ出射されて右眼用画像が観察者の左眼１７ａに入射したりする現象である。
【０００８】
具体的にいうと、図１（Ｂ）に破線で示すように、右側用光源１３ｂから発した光の一部が導光板１２ａの厚さの薄い側の端面１８から導光板１２ａ内に入射すると、入射した光は迷光１６ｃとなって導光板１２ａ内を導光し、この迷光１６ｃの一部は観察者の左眼１７ａに向けて出射する。同様に、左側用光源１３ａから放射された光の一部が導光板１２ｂの厚さの薄い側の端面１８から導光板１２ｂ内に入射した場合も、導光板１２ｂに入射した迷光は導光板１２ｂ内を導光し、その一部が観察者の右眼１７ｂに向けて出射する。
【０００９】
このようなクロストークが生じると、右眼用画像生成時に右眼用画像が観察者の右眼１７ｂだけでなく左眼１７ａでも認識され、また左眼用画像生成時に左眼用画像が観察者の左眼１７ａだけでなく右眼１７ｂでも認識される。その結果、右眼で認識している右眼用画像に左眼用画像が重なって二重に見え、また左眼で認識している左眼用画像に右眼用画像が重なって二重に見え、画像が不鮮明になるという問題が生じる。
【００１０】
このようなクロストークを抑制するためには、図１（Ｂ）に示すように、左側用光源１３ａ及び右側用光源１３ｂの光出射方向を制限して各光源１３ａ、１３ｂの前面からのみ光が出射されるようにすることが考えられる。しかし、通常の組立精度では、各光源１３ａ、１３ｂの前面と各導光板１２ａ、１２ｂの端面との間に隙間が生じるので、この隙間から漏れた各光源１３ａ、１３ｂの光が厚さの薄い側の端面１８から導光板１２ｂ、１２ａ内へ入射することは避けられない。
【００１１】
（特許文献２について）
特許文献２に開示された面光源装置２１を図２（Ａ）に示す。この面光源装置２１では、平板状をした導光板２２ａと同じく平板状をした導光板２２ｂを重ね合わせている。左側用光源２３ａは、導光板２２ａの一方端面に対向している。右側用光源２３ｂは、導光板２２ｂの一方端面に対向している。また、導光板１２ａの光源配置側の端面と導光板１２ｂの光源配置側と反対側の端面とが左右の位置を揃えられており、導光板２２ａの光源配置側と反対側の端面と導光板２２ｂの光源配置側の端面とが左右の位置を揃えられている。
【００１２】
このような面光源装置２１でも、左側用光源２３ａから出射された光は、導光板２２ａ内を導光して観察者の左眼方向へ向けて左側照明光２６ａとして出射され、また右側用光源２３ｂから出射された光は、導光板２２ｂ内を導光して右眼方向へ向けて右側照明光２６ｂとして出射される。
【００１３】
しかし、この面光源装置２１を用いた場合でも、特許文献１の立体表示装置と同様に、図２（Ｂ）に破線で示すように、導光板２２ａに対向していない右側用光源２３ｂから出た光が導光板２２ａに入射すると、入射した光が迷光２６ｃとなり、その一部が左側照明光２６ａの方向へ出射される。また、導光板２２ｂに対向していない左側用光源２３ａから出た光が導光板２２ｂに入射すると、入射した光が迷光となって、その一部が右側照明光２６ｂの方向へ出射される。こうしてクロストークが生じる結果、特許文献２の面光源装置２１を用いた場合でも、画像が二重に見えて不鮮明になる。
【先行技術文献】
【特許文献】
【００１４】
【特許文献１】特許第３５８５７８１号公報
【特許文献２】特許第３９０８２４１号公報
【発明の概要】
【発明が解決しようとする課題】
【００１５】
本発明は、このような技術的課題に鑑みてなされたものであって、その目的とするところは、立体表示装置もしくは当該装置に用いられる面光源装置において、クロストークの発生を抑制することをにある。
【課題を解決するための手段】
【００１６】
本発明に係る第１の面光源装置は、第１の導光板と、前記第１の導光板の第１の端面に対向させて配置された第１の光源と、第２の導光板と、前記第２の導光板の第１の端面に対向させて配置された第２の光源とを備え、前記第１の導光板と前記第２の導光板を重ね合わせて導光体を構成された面光源装置において、前記第１の導光板における前記第１の端面と、前記第２の導光板において前記第１の端面と反対側に位置する第２の端面とが同じ側に位置し、かつ、前記第１の導光板において前記第１の端面と反対側に位置する第２の端面と、前記第２の導光板における前記第１の端面とが同じ側に位置するようにして、前記第１の導光板と前記第２の導光板とが重ね合わされ、前記第１の導光板における前記第２の端面が、前記第２の導光板における前記第１の端面よりも前記第２の導光板における前記第２の端面側へずれていることを特徴としている。
【００１７】
本発明の第１の面光源装置にあっては、第１の導光板の第２の端面が第２の導光板の第１の端面よりも引っ込んでいるので、第２の光源から出射した光が第２の端面から第１の導光板内に入射しにくくなる。よって、第２の光源の光が第１の導光板内に入って迷光となるのを防ぐことができ、立体表示装置に用いたときにクロストークを抑制することができる。
【００１８】
本発明に係る第１の面光源装置のある実施態様は、さらに、前記第２の導光板における前記第２の端面が、前記第１の導光板における前記第１の端面よりも前記第１の導光板における前記第２の端面側へずれていることを特徴としている。かかる実施態様によれば、第２の導光板の第２の端面も第１の導光板の第１の端面よりも引っ込んでいるので、第１の光源から出射した光が第２の端面から第２の導光板内に入射しにくくなる。よって、第１の光源の光が第２の導光板内に入って迷光となるのを防ぐことができ、立体表示装置に用いたときにクロストークを抑制することができる。
【００１９】
本発明に係る第２の面光源装置は、第１の導光板と、前記第１の導光板の第１の端面に対向させて配置された第１の光源と、第２の導光板と、前記第２の導光板の第１の端面に対向させて配置された第２の光源とを備え、前記第１の導光板と前記第２の導光板を重ね合わせて導光体を構成された面光源装置において、前記第１の導光板における前記第１の端面と、前記第２の導光板において前記第１の端面と反対側に位置する第２の端面とが同じ側に位置し、かつ、前記第１の導光板において前記第１の端面と反対側に位置する第２の端面と、前記第２の導光板における前記第１の端面とが同じ側に位置するようにして、前記第１の導光板と前記第２の導光板とが重ね合わされ、前記第１の導光板が、前記第２の光源から見て前記第２の導光板の前記第１の端面により光学的に隠れる領域に位置することを特徴としている。ここで、第２の導光板の第１の端面により光学的に隠れる領域に位置するとは、第２の光源から発した光が第２の導光板の第１の端面に遮られて、第２の光源からの光が届かない、あるいは届きにくい位置に配置されていることを指す。
【００２０】
本発明の第２の面光源装置にあっては、第２の光源から見て第２の導光板の第１の端面により光学的に隠れる領域（つまり、第２の導光板の第１の端面の陰になる領域）に第１の導光板が位置しているので、第２の光源から出射した光が第１の導光板内に入射しにくくなる。よって、第２の光源の光が第１の導光板内に入って迷光となるのを防ぐことができ、立体表示装置に用いたときにクロストークを抑制することができる。
【００２１】
本発明に係る第２の面光源装置のある実施態様は、さらに、前記第２の導光板が、前記第１の光源から見て前記第１の導光板の前記第１の端面により光学的に隠れる領域に位置することを特徴としている。ここで、第１の導光板の第１の端面により光学的に隠れる領域に位置するとは、第１の光源から発した光が第１の導光板の第１の端面に遮られて、第１の光源からの光が届かない、あるいは届きにくい位置に配置されていることを指す。かかる実施態様によれば、第１の光源から見て第１の導光板の第１の端面により光学的に隠れる領域（つまり、第１の導光板の第１の端面の陰になる領域）に第２の導光板も位置しているので、第１の光源から出射した光が第２の導光板内に入射しにくくなる。よって、第１の光源の光が第２の導光板内に入って迷光となるのを防ぐことができ、立体表示装置に用いたときにクロストークを抑制することができる。
【００２２】
本発明に係る第１または第２の面光源装置の別な実施態様は、前記第１の光源を実装された第１の配線基板と、前記第２の光源を実装された第２の配線基板とを有し、前記第２の配線基板の少なくとも一部が、前記第２の導光板の、前記第１の導光板が重ねられた側の面における前記第１の端面近傍に形成された空間に配置されていることを特徴としている。かかる実施態様によれば、第２の導光板の第１の端面と第２の光源との間に生じる隙間の、第１の導光板側の端を第２の配線基板によって遮蔽することができる。よって、第２の光源の光が第１の導光板側へ漏れにくくなり、この面光源装置を立体表示装置に用いたとき、クロストークをより一層抑制することができる。
【００２３】
本発明に係る第１または第２の面光源装置のさらに別な実施態様は、前記第１の光源を実装された第１の配線基板と、前記第２の光源を実装された第２の配線基板とを有し、前記第１の配線基板の少なくとも一部が、前記第１の導光板の、前記第２の導光板が重ねられた側の面における前記第１の端面近傍に形成された空間に配置されていることを特徴としている。かかる実施態様によれば、第１の導光板の第１の端面と第１の光源との間に生じる隙間の、第２の導光板側の端を第１の配線基板によって遮蔽することができる。よって、第１の光源の光が第２の導光板側へ漏れにくくなり、この面光源装置を立体表示装置に用いたとき、クロストークをより一層抑制することができる。
【００２４】
本発明に係る第１または第２の面光源装置のさらに別な実施態様は、前記第１の導光板の前記第２の端面と前記第２の導光板の前記第２の端面のうち少なくとも一方の第２の端面に、光吸収部材を設けたことを特徴としている。かかる実施態様によれば、第１の端面から第１または第２の導光板内に入射し、第１または第２の導光板内を導光して第２の端面に達した光を光吸収部材によって吸収させることができる。よって、第２の端面における戻り光による迷光を少なくでき、迷光によるクロストークを低減できる。また、第２の端面から外乱光などが入射するのを防ぐことができるので、第２の端面から第１または第２の導光板内に入射した外乱光などによる迷光を減らすことができ、迷光によるクロストークを低減することができる。
【００２５】
本発明に係る第１または第２の面光源装置のさらに別な実施態様は、前記第１の導光板と前記第２の導光板のうち少なくとも一方の導光板において、当該導光板の前記第２の端面が、当該導光板の前記第１の端面に対して傾いていることを特徴としている。かかる実施態様によれば、第２の端面で全反射して戻る戻り光を少なくできるので、戻り光が迷光となって生じるクロストークを低減することができる。さらに、この実施態様では、第１の導光板または第２の導光板を成形する際に第２の端面の傾きを変えるだけでよいので、光吸収部材を設ける場合と比べて製造工程が増加することがない。
【００２６】
本発明に係る立体表示装置は、本発明に係る第１または第２の面光源装置の前方に、光学シート及び液晶パネルを配置したことを特徴としている。かかる立体表示装置によれば、クロストークを低減することができるので、立体表示装置により生成される立体映像をより鮮明にすることができる。
【００２７】
なお、本発明における前記課題を解決するための手段は、以上説明した構成要素を適宜組み合せた特徴を有するものであり、本発明はかかる構成要素の組合せによる多くのバリエーションを可能とするものである。
【図面の簡単な説明】
【００２８】
【図１】図１（Ａ）は、特許文献１に開示された立体表示装置の構造を示す概略図である。図１（Ｂ）は、図１（Ａ）の立体表示装置にクロストークが発生する理由を説明する図である。
【図２】図２（Ａ）は、特許文献２に開示された立体表示用の面光源装置を示す概略図である。図２（Ｂ）は、図２（Ａ）の面光源装置にクロストークが発生する理由を説明する図である。
【図３】図３は、本発明の実施形態１に係る面光源装置の構造を示す概略断面図である。
【図４】図４は、一方の導光板及び左側用光源（あるいは、他方の導光板及び右側用光源）を示す斜視図である。
【図５】図５（Ａ）及び図５（Ｂ）は、図３のＡ部拡大図であって、光吸収部材の作用効果を説明している。
【図６】図６は、実施形態１の面光源装置を用いた立体表示装置の一例を示す概略断面図である。
【図７】図７（Ａ）、図７（Ｂ）及び図７（Ｃ）は、一対の導光板の配置を説明する説明図である。
【図８】図８は、光学シートの斜視図である。
【図９】図９は、光学シートの働きを説明するための説明図である。
【図１０】図１０（Ａ）、図１０（Ｂ）及び図１０（Ｃ）は、いずれも実施形態１の変形例による面光源装置を示す概略図である。
【図１１】図１１は、本発明の実施形態２に係る面光源装置の構造を示す概略断面図である。
【図１２】図１２は、実施形態２の面光源装置に用いられる一方の導光板及び左側用光源（あるいは、他方の導光板及び右側用光源）の斜視図である。
【図１３】図１３は、実施形態２の面光源装置に用いられる一方の導光板及び左側用光源（あるいは、他方の導光板及び右側用光源）の他例を示す斜視図である。
【図１４】図１４は、実施形態２の面光源装置に用いられる一方の導光板及び左側用光源（あるいは、他方の導光板及び右側用光源）のさらに他例を示す斜視図である。
【図１５】図１５は、実施形態２の面光源装置に用いられる一方の導光板及び左側用光源（あるいは、他方の導光板及び右側用光源）のさらに他例を示す斜視図である。
【図１６】図１６は、本発明の実施形態３に係る面光源装置の構造を示す概略断面図である。
【図１７】図１７（Ａ）は、本発明の実施形態４に係る面光源装置の構造を示す概略断面図である。図１７（Ｂ）は、実施形態４の面光源装置と比較するための実施形態を示す概略断面図である。
【図１８】図１８（Ａ）及び図１８（Ｂ）は、いずれも実施形態４の変形例による面光源装置を示す概略図である。
【発明を実施するための形態】
【００２９】
以下、添付図面を参照しながら本発明の好適な実施形態を説明する。但し、本発明は以下の実施形態に限定されるものでなく、本発明の要旨を逸脱しない範囲において種々設計変更することができる。
【００３０】
（第１の実施形態）
以下、図３−図９を参照して本発明の実施形態１による面光源装置３１及び立体表示装置５１を説明する。図３は、実施形態１の面光源装置３１を示す概略断面図である。図４は、一方の導光板３２ａと左側用光源３３ａ（あるいは、他方の導光板３２ｂと右側用光源３３ｂ）の斜視図である。図６は、実施形態１の立体表示装置５１の概略断面図である。
【００３１】
図３に示す面光源装置３１では、導光板３２ａ（第１の導光板と第２の導光板のうち、一方の導光板）と導光板３２ｂ（第１の導光板と第２の導光板のうち、他方の導光板）を重ね合わせて導光体３２を形成している。導光板３２ａと導光板３２ｂは、ポリカーボネイト樹脂、ポリメチルメタクリレート樹脂などの屈折率の高い透光性樹脂により、一方端面の厚さが他方端面の厚さよりも厚くなった略楔形に成形されている。すなわち、導光板３２ａと導光板３２ｂはいずれも、図４に示すように、平坦面４５ａと、平坦面４５ａに略垂直な両端面３８ａ、３８ｂ及び両側面と、平坦面４５ａに対向した傾斜面４５ｂで囲まれた略楔形状となっている。各導光板３２ａ、３２ｂにおいては、一方の端面３８ａは他方の端面３８ｂよりも厚さが大きくなっているが、他方端面３８ｂの断面形状は尖端ではなく、成形性を良くするために厚さの薄い側の端面３８ｂでもある程度の厚さを有している。
【００３２】
図３に示すように、導光板３２ａと導光板３２ｂは、厚さの厚い側の端面３８ａと厚さの薄い側の端面３８ｂが互いに反対側に位置するようにして、かつ、傾斜面４５ｂどうしを対向させるようにして重ね合わされているので、導光体３２の前面と背面（つまり、両導光板３２ａ、３２ｂの平坦面４５ａどうし）は平行となっている。ただし、傾斜面４５ｂどうしは直接に密着しておらず、両導光板３２ａ、３２ｂよりも屈折率の小さな低屈折率層４４（たとえば、空気層や透明接着剤層、透明液体層など）を挟んで重なり合っている。
【００３３】
また、重ねられた導光板３２ａと導光板３２ｂにおいて、導光板３２ａの厚さの薄い側の端面３８ｂは、導光板３２ｂの厚さの厚い側の端面３８ａと左右方向の位置がずれていて、導光板３２ｂの端面３８ａよりも引っ込んでいる。同様に、導光板３２ｂの厚さの薄い側の端面３８ｂも、導光板３２ａの厚さの厚い側の端面３８ａと左右方向の位置がずれていて、導光板３２ａの端面３８ａよりも引っ込んでいる。特に、図３に示す実施形態では、導光板３２ａの端面３８ａの後端縁が、導光板３２ｂの平坦面４５ａの延長上に位置し、導光板３２ｂの端面３８ａの前端縁が、導光板３２ａの平坦面４５ａの延長上に位置するように配置されており、導光体３２の厚みが最も薄くなっている。なお、図３及び図６において、Ｘ方向は左右方向を表し、Ｙ方向は前後方向を表している。
【００３４】
導光体３２の背面には反射部材４６が配置されている。反射部材４６は、白色樹脂シートや金属箔などの反射率の高い材料によって形成されており、導光体３２の背面から漏れた光を反射して導光体３２に再入射させるものであって、漏れ光を少なくして光利用効率を高める。
【００３５】
左側用光源３３ａ（第１の光源と第２の光源のうち、一方の光源）及び右側用光源３３ｂ（第１の光源と第２の光源のうち、他方の光源）は、いずれも１個又は複数個のＬＥＤ光源によって構成されている。すなわち、両光源３３ａ、３３ｂにおいては、ＬＥＤチップ４０が透明樹脂４１内に封止されており、透明樹脂４１の正面を除く各面は白色樹脂からなる被覆部４２によって覆われている。したがって、ＬＥＤチップ４０を発光させたとき、ＬＥＤチップ４０から出射した光は、透明樹脂４１を通過して正面の光出射窓から外部へ直接出射され、あるいは透明樹脂４１と被覆部４２の界面で反射された後に正面の光出射窓から外部へ出射される。この左側用光源３３ａは、一方のフレキシブルプリント基板４３ａ（第１の配線基板と第２の配線基板のうち、一方の配線基板）の表面に実装され、右側用光源３３ｂは、他方のフレキシブルプリント基板４３ｂ（第１の配線基板と第２の配線基板のうち、他方の配線基板）の表面に実装されている。
【００３６】
左側用光源３３ａは、その光出射窓を導光板３２ａの厚さの厚い側の端面３８ａ（光入射面）に対向させるように配置されている。同様に、右側用光源３３ｂは、その光出射窓を導光板３２ｂの厚さの厚い側の端面３８ａ（光入射面）に対向させるように配置されている。左側用光源３３ａと右側用光源３３ｂは一定周期で交互に点灯と消灯を繰り返すように制御される。両導光板３２ａ、３２ｂの端面３８ａの厚さＤは、導光体３２の厚さを小さくするためには、各光源３３ａ、３３ｂの高さＨ以下であることが望ましい。また、各光源３３ａ、３３ｂから出射した光を各導光板３２ａ、３２ｂの端面３８ａに効率よく入射させて光のロスを小さくするためには、両導光板３２ａ、３２ｂの端面３８ａの厚さＤは、各光源３３ａ、３３ｂの光出射窓の高さｈ以上であることが望ましい。
【００３７】
なお、フレキシブルプリント基板４３ａ、４３ｂは、図３とは反対側に位置していてもよい。すなわち、フレキシブルプリント基板４３ａ（又はフレキシブルプリント基板４３ｂ）が、導光板３２ｂ（又は、導光板３２ａ）の重ねられている側で、導光板３２ａ（又は、導光板３２ｂ）の端面３８ａと左側用光源３３ａ（又は、右側用光源３３ｂ）の間の隙間の端を覆うようにしてもよい。また、左側用光源３３ａ及び右側用光源３３ｂとしては、冷陰極線管を用いても差し支えない。
【００３８】
上記面光源装置３１を用いた立体表示装置５１の構造を図６に示す。この立体表示装置５１では、導光体３２の前面にリムシート４７が貼り付けられている。リムシート４７は、黒色粘着テープなどによって形成された光吸収用部材であって、導光体３２の有効領域に対応する領域が開口されていて、導光体３２の周囲を覆っている。さらに、リムシート４７の開口部の前方には、光学シート３４及び液晶パネル３５が重ねられている。図８に示すように、光学シート３４の背面には、Ｘ方向及びＹ方向に直交する方向（上下方向）に沿って均一な断面形状を有する微細な三角プリズム状のプリズム状パターン３４ａが、Ｘ方向に沿って一定ピッチＰで配列されている。また、光学シート３４の前面には、Ｘ方向及びＹ方向に直交する方向に沿って均一な断面形状を有する微細な凸レンズ状のレンズ状パターン３４ｂが、Ｘ方向に沿って一定ピッチＱで配列されている。ただし、レンズ状パターン３４ｂの配列ピッチＱは、プリズム状パターン３４ａの配列ピッチＰよりも少し大きくなっている。プリズム状パターン３４ａは、Ｘ方向における光学シート３４の中心を通り光学シート３４に垂直な面に関して対称となるように配置され、レンズ状パターン３４ｂも、Ｘ方向における光学シート３４の中心を通り光学シート３４に垂直な面に関して対称となるように配置されている。液晶パネル３５は、観察者が右眼で見るときの画像（右眼用画像）と左眼で見るときの画像（左眼用画像）を交互に表示する。
【００３９】
液晶パネル３５の映像と左側用光源３３ａ及び右側用光源３３ｂの点灯／消灯とは、同期駆動装置４８によって同期制御される。同期駆動装置４８は、観察者が左右画像の切り替わりを認知できない程度の短周期で液晶パネル３５に左眼用画像と右眼用画像を交互に表示させ、液晶パネル３５の左眼用画像と同期して左側用光源３３ａを点灯（右側用光源３３ｂは消灯）させ、また、右眼用画像と同期して右側用光源３３ｂを点灯（左側用光源３３ａは消灯）させる。
【００４０】
右側用光源３３ｂが点灯した時には、図３に示すように、右側用光源３３ｂから発した光（白色光）は、端面３８ａから導光板３２ｂ内に入射し、導光板３２ｂの平坦面４５ａと傾斜面４５ｂとで全反射しながら導光板３２ｂ内を導光する。導光板３２ｂ内を導光する光は、平坦面４５ａで反射することによって傾斜面４５ｂに対する入射角が小さくなるので、傾斜面４５ｂに対する入射角が全反射の臨界角よりも小さくなった光は導光板３２ｂの傾斜面４５ｂから出射し、さらに導光板３２ａを透過して前方へ出射される。この結果、導光体３２の有効領域の全体からは、最大強度の方向が揃った右側照明光３６ｂがある方向へ向けて出射される。導光体３２から出射した右側照明光３６ｂは、各画素を透過した光が液晶パネル３５からほぼ所定距離に位置する観察者の右眼３７ｂに集まるように、光学シート３４によって曲げられて液晶パネル３５に入射する。この右側照明光３６ｂは液晶パネル３５を透過することによって右眼用画像に変換され、観察者の右眼３７ｂで認識される。
【００４１】
同じように、左側用光源３３ａが点灯した時には、左側用光源３３ａから発した光（白色光）は、端面３８ａから導光板３２ａ内に入射し、導光板３２ａの平坦面４５ａと傾斜面４５ｂとで全反射しながら導光板３２ａ内を導光する。導光板３２ａ内を導光する光は、傾斜面４５ｂで反射することによって平坦面４５ａに対する入射角が小さくなるので、平坦面４５ａに対する入射角が全反射の臨界角よりも小さくなった光は導光板３２ａの平坦面４５ａから前方へ出射される。この結果、導光体３２の有効領域の全体からは、最大強度の方向が揃った左側照明光３６ａがある方向へ向けて出射される。導光体３２から出射した左側照明光３６ａは、各画素を透過した光が観察者の左眼３７ａに集まるように、光学シート３４によって方向を曲げられて液晶パネル３５に入射する。この左側照明光３６ａは液晶パネル３５を透過することによって左眼用画像に変換され、観察者の左眼３７ａで認識される。
【００４２】
図９は、光学シート３４の光学的な作用を詳細に表している。この光学シート３４は、プリズム状パターン３４ａ及びレンズ状パターン３４ｂが左右対称に配置されており、かつ、レンズ状パターン３４ｂのピッチＱがプリズム状パターン３４ａのピッチＰよりも少し大きくなっているので、各レンズ状パターン３４ｂの中心は対応するプリズム状パターン３４ａの中心からずれている。このため、たとえば図９に示すように、プリズム状パターン３４ａに入射した左側照明光３６ａはプリズム状パターン３４ａによって光線方向を曲げられ、さらにレンズ状パターン３４ｂを透過する際には、レンズ状パターン３４ｂによって左眼３７ａの方向へ曲げられる。しかも、光学シート３４の端に近づくほど、レンズ状パターン３４ｂの中心とプリズム状パターン３４ａの中心とのずれは大きくなっているので、レンズ状パターン３４ｂを透過する左側照明光３６ａは集光されて左眼３７ａに集められる。右側照明光３６ｂは、同様な働きにより、光学シート３４を透過することによって右眼３７ｂに集光される。
【００４３】
こうして観察者の左眼３７ａと右眼３７ｂには左眼用画像と右眼用画像が交互に送られるが、残像効果によって観察者は右眼用画像と左眼用画像を同時に認識するので、三次元映像（立体映像）が認識されることになる。
【００４４】
なお、導光板３２ａ、３２ｂには、その平坦面４５ａと傾斜面４５ｂのうち少なくとも一方には微小な光学パターンを形成してあってもよい。導光板３２ａ、３２ｂは略楔形状となっているので、光学パターンがなくても平坦面４５ａ又は傾斜面４５ｂから光が出射するが、光学パターンを設けることによって導光体３２から光が出射されやすくなる。その結果、導光板３２ａ、３２ｂの端面３８ｂで反射されて戻る戻り光が少なくなり、クロストークを抑制できる。さらに、光学パターンを設けて光学パターンの配置や密度を調整することによって導光体３２の有効領域全体における輝度分布を均一化することができる。
【００４５】
また、この面光源装置３１においては、導光板３２ｂの端面３８ｂが導光板３２ａの端面３８ａよりも引っ込んでいるので、左側用光源３３ａから発した光が端面３８ｂから導光板３２ｂ内に侵入しにくくなっている。同様に、導光板３２ａの端面３８ｂが導光板３２ｂの端面３８ａよりも引っ込んでいるので、右側用光源３３ｂから発した光が端面３８ｂから導光板３２ａ内に侵入しにくくなっている。したがって、端面３８ｂから導光板３２ｂや導光板３２ａに侵入した光が迷光となって、立体表示装置５１の立体映像にクロストークが生じるのを抑制することができ、立体映像が鮮明化される。
【００４６】
導光板３２ｂ（あるいは、その端面３８ｂ）を導光板３２ａの端面３８ａから引っ込める程度としては、導光板３２ａの陰となる領域まで導光板３２ｂを引っ込めればよい。導光板３２ａの陰となる領域とは、図３の断面において、左側用光源３３ａの光出射窓の後端と導光板３２ａの端面３８ａの後端を結ぶ線分Ｃ１よりも右側用光源３３ｂに近い側の領域である。同様に、導光板３２ａ（あるいは、その端面３８ｂ）を導光板３２ｂの端面３８ａから引っ込める程度としては、導光板３２ｂの陰となる領域まで導光板３２ａを引っ込めればよい。導光板３２ｂの陰となる領域とは、図３の断面において、右側用光源３３ｂの光出射窓の前端と導光板３２ｂの端面３８ａの前端を結ぶ線分Ｃ２よりも左側用光源３３ａに近い側の領域である。このように、導光板３２ｂ（又は導光板３２ａ）が、それぞれ導光板３２ａ（又は導光板３２ｂ）の陰となる領域にあれば、左側用光源３３ａ（又は右側用光源３３ｂ）から出射した光は、導光板３２ａ（又は導光板３２ｂ）で遮られて導光板３２ｂ（又は導光板３２ａ）の端面３８ｂに届かないので、迷光によるクロストークを防止することができる。
【００４７】
クロストークを防止するためには、導光板３２ｂ（又は導光板３２ａ）が導光板３２ａ（又は導光板３２ｂ）の陰となる領域にあればよいので、図７（Ａ）に示すように、導光板３２ｂの平坦面４５ａが導光板３２ａの端面３８ａの後端より飛び出ていてもよく、また、導光板３２ａの平坦面４５ａが導光板３２ｂの端面３８ａの前端より飛び出ていてもよい。
【００４８】
しかし、導光板３２ｂの平坦面４５ａが飛び出ている場合には、図７（Ｂ）に示すように、製造誤差や組立誤差などによって左側用光源３３ａの光出射窓の後端が導光板３２ａの端面３８ａの後端に近づいた場合には、導光板３２ｂが線分Ｃ１を越えて導光板３２ａの陰になる領域からはみ出るおそれがある。導光板３２ａと右側用光源３３ｂの関係についても同様である。
【００４９】
これに対し、図３の面光源装置３１のように、導光板３２ａの端面３８ａの後端が導光板３２ｂの平坦面４５ａの延長上にあれば、図７（Ｃ）に示すように、左側用光源３３ａの光出射窓の後端が導光板３２ａの端面３８ａの後端側へずれても、導光板３２ｂが線分Ｃ１を越えて導光板３２ａの陰になる領域からはみ出る恐れが小さくなる。同じように、導光板３２ｂの端面３８ａの前端が導光板３２ａの平坦面４５ａの延長上にあれば、図７（Ｃ）に示すように、右側用光源３３ｂの光出射窓の前端が導光板３２ｂの端面３８ａの前端側へずれても、導光板３２ａが線分Ｃ２を越えて導光板３２ｂの陰になる領域からはみ出る恐れが小さくなる。
【００５０】
また、導光板３２ａの端面３８ｂと導光板３２ｂの端面３８ｂは、光吸収部材３９で覆ってもよい。各端面３８ｂに光吸収部材３９を形成しておけば、図５（Ａ）に示すように、端面３８ｂに入射した外乱光３６ｃ（あるいは、照明光３６ａ、３６ｂの漏れ光）を遮って導光板３２ｂ（又は導光板３２ａ）内に入射するのを妨げることができる。よって、導光板３２ａ、３２ｂ内に入射した外乱光３６ｃが迷光３６ｄとなってクロストークを生じるのを防ぐことができる。また、端面３８ａ（光入射面）から入った右側照明光３６ｂ（又は左側照明光３６ａ）が導光板３２ｂ（又は導光板３２ａ）内を導光して端面３８ｂに入射したとき、図５（Ｂ）に示すように、この光を吸収して反射を抑制することができる。よって、端面３８ｂで反射した戻り光が迷光３６ｅとなってクロストークを生じるのを防ぐことができる。
【００５１】
以上のような構造により、面光源装置３１によれば、クロストークを抑制して立体表示装置５１により鮮明な立体映像を表示させることが可能になる。
【００５２】
（第１の実施形態の変形例）
図１０（Ａ）−図１０（Ｃ）は、本発明の実施形態１の変形例を示す図である。これらはいずれも導光板３２ａ、３２ｂの端面３８ｂを端面３８ａに対して非平行となるように傾けたものである。
【００５３】
図１０（Ａ）の面光源装置では、導光板３２ａの端面３８ｂは前方（液晶パネル側）へ向かうほど端面３８ａから遠くなるように傾斜している。したがって、導光板３２ａ内を導光して端面３８ｂに達した光は、端面３８ｂで全反射して元の方向へ戻りにくくなっており、端面３８ｂで全反射することにより、あるいは端面３８ｂを透過することにより導光板３２ａの外部へ出射されやすくなっている。また、導光板３２ｂの端面３８ｂも前方へ向かうほど端面３８ａから遠くなるように傾斜している。したがって、導光板３２ｂ内を導光して端面３８ｂに達した光は、端面３８ｂで全反射して元の方向へ戻りにくくなっており、端面３８ｂで全反射することにより、あるいは端面３８ｂを透過することにより導光板３２ｂの外部へ出射されやすくなっている。
【００５４】
図１０（Ｂ）の面光源装置では、導光板３２ａの端面３８ｂは前方へ向かうほど端面３８ａに近づくように傾斜している。したがって、導光板３２ａ内を導光して端面３８ｂに達した光は、端面３８ｂで全反射して元の方向へ戻りにくくなっており、端面３８ｂで全反射することにより、あるいは端面３８ｂを透過することにより導光板３２ａの外部へ出射されやすくなっている。また、導光板３２ｂの端面３８ｂも前方へ向かうほど端面３８ａから遠くなるように傾斜している。したがって、導光板３２ｂ内を導光して端面３８ｂに達した光は、端面３８ｂで全反射して元の方向へ戻りにくくなっており、端面３８ｂで全反射することにより、あるいは端面３８ｂを透過することにより導光板３２ｂの外部へ出射されやすくなっている。
【００５５】
図１０（Ｃ）の面光源装置では、導光板３２ａの端面３８ｂは前方へ向かうほど端面３８ａに近づくように傾斜している。したがって、導光板３２ａ内を導光して端面３８ｂに達した光は、端面３８ｂで全反射して元の方向へ戻りにくくなっており、端面３８ｂで全反射することにより、あるいは端面３８ｂを透過することにより導光板３２ａの外部へ出射されやすくなっている。また、導光板３２ｂの端面３８ｂも前方へ向かうほど端面３８ａに近づくように傾斜している。したがって、導光板３２ｂ内を導光して端面３８ｂに達した光は、端面３８ｂで全反射して元の方向へ戻りにくくなっており、端面３８ｂで全反射することにより、あるいは端面３８ｂを透過することにより導光板３２ｂの外部へ出射されやすくなっている。
【００５６】
図１０（Ａ）−図１０（Ｃ）のような面光源装置では、端面３８ｂで全反射した光が戻り光となって元の方向へ戻っていき、本来の出射方向と異なる方向へ出射されてクロストークの原因となるのを防ぐことができる。また、導光板３２ａ、３２ｂを成形するための金型を製作する際に端面３８ｂを傾斜させておくだけでよいので、導光板３２ａ、３２ｂの端面３８ｂに光吸収部材３９を形成する場合のように製造工程が増加することがなく、製造コストを抑えることができる。
【００５７】
なお、端面３８ｂを傾ける方向は、図１０（Ａ）−図１０（Ｃ）に示したものに限らない。
【００５８】
（第２の実施形態）
図１１は本発明の実施形態２による面光源装置６１を示す概略断面図である。この面光源装置６１は、実施形態１の面光源装置３１とは、導光板３２ａ及び導光板３２ｂの形状が異なっている。
【００５９】
面光源装置６１に用いる導光板３２ａ、３２ｂは、図１１に示すように、板厚の厚い光導入部６２、板厚の薄い導光板本体６３、光導入部６２と導光板本体６３の間をつなぐ光移行部６４によって構成されている。両導光板３２ａ、３２ｂの下面は平坦面４５ａとなっており、光導入部６２の平坦面４５ａと対向する上面は平坦面４５ａと略並行な平面となり、導光板本体６３の平坦面４５ａと対向する面も平坦面４５ａと略並行な平坦面４５ｃとなり、光移行部６４の平坦面４５ａと対向する面は、光導入部６２の上面から導光板本体６３の平坦面４５ｃに向けて下り傾斜した傾斜面６５となっている。また、光導入部６２の厚みは、光源３３ａ、３３ｂの光出射窓の高さよりも厚く、光源３３ａ、３３ｂの高さよりも薄くなっている。導光板本体６３は、光導入部６２の厚みのほぼ１／２くらいの厚みを有しており、導光板本体６３の平坦面４５ａ、４５ｃのいずれか一方の面には導光板本体６３の光出射面（平坦面４５ａ、４５ｃのうち液晶パネル側を向いた面）から外部へ光を出射させるための微細な光学パターンが形成されている（たとえば、断面三角形状に窪んだプリズム状パターンなどが、平行にあるいは円弧状に配列されている）。
【００６０】
導光板３２ａと導光板３２ｂは、導光板３２ｂを上下反転させ、かつ、光導入部６２側と導光板本体６３側が互いに反対側に位置するようにして、低屈折率層４４を介して導光板本体６３の平坦面４５ｃどうしが重ね合わされている。したがって、導光板３２ａでも導光板３２ｂでも、光導入部６２の突出部分が内側を向いていて導光体３２の外面に突出していない。導光板３２ａは、導光板３２ｂの陰となる領域に納まるように、導光板３２ｂの端面３８ａから引っ込めて配置され、また、導光板３２ｂは、導光板３２ａの陰となる領域に納まるように、導光板３２ａの端面３８ａから引っ込めて配置されている。左側用光源３３ａは、導光板３２ａの光導入部６２側の端面３８ａに対向させて配置され、右側用光源３３ｂは、導光板３２ｂの光導入部６２側の端面３８ａに対向させて配置されている。なお、図１１においては、左側用光源３３ａを実装したフレキシブルプリント基板４３ａは、左側用光源３３ａの前面側に位置しているが、左側用光源３３ａの背面側に位置していてもよい。
【００６１】
この面光源装置６１では、光導入部６２の厚みが光源３３ａ、３３ｂの高さとほぼ等しくなっているので、光源３３ａ、３３ｂから発した光を効率よく導光板３２ａ、３２ｂ内へ入射させることができ、光の利用効率を高めることができる。一方、導光板３２ａ、３２ｂの大部分の領域を占める導光板本体６３の厚みが薄くなっているので、導光板３２ａ、３２ｂどうしを重ねた導光体３２の厚みを薄くすることができる。さらに、光導入部６２と導光板本体６３の間に位置する光移行部６４の上面を傾斜面６５としているので、光導入部６２へ入射した光を平坦面４５ａと傾斜面６５とで全反射させながら効率よく導光板本体６３へ導くことができる。
【００６２】
また、導光板３２ｂの端面３８ｂを導光板３２ａの端面３８ａから引っ込めて導光板３２ｂが導光板３２ａの陰となる領域（図１１の線分Ｃ１よりも向かって左側）に位置させてあり、また、導光板３２ａの端面３８ｂを導光板３２ｂの端面３８ａから引っ込めて導光板３２ａが導光板３２ｂの陰となる領域（図１１の線分Ｃ２よりも向かって右側）に位置させているので、立体表示装置に用いたときにクロストークを低減させることができる。
【００６３】
（第２の実施形態の変形例）
図１３は、実施形態２の面光源装置６１に用いる導光板３２ａ（又は導光板３２ｂ）の他例を示す斜視図である。また、図１３には、併せてＶ溝６６の断面を表している。図１３の導光板３２ａ（又は導光板３２ｂ）では、光移行部６４の傾斜面６５に沿って多数の微細なＶ溝６６を互いに平行に、かつ、連続的に配列している。このような導光板３２ａ、３２ｂを用いた場合には、光導入部６２側から傾斜面６５に入射した光をＶ溝６６によって回帰反射させることができるので、光導入部６２に入射した光を導光板本体６３へ導光させる途中で傾斜面６５から漏れる光を少なくでき、光の利用効率を高めることができる。よって、面光源装置６１の輝度を向上させることができる。
【００６４】
図１４は、実施形態２の面光源装置６１に用いる導光板３２ａ（又は導光板３２ｂ）のさらに他例を示す斜視図である。図１４の導光板３２ａ（又は導光板３２ｂ）では、それぞれの左側用光源３３ａ（又は右側用光源３３ｂ）の前方において、光移行部６４の傾斜面６５に略扇形をしたパターン領域６９が形成されている。各パターン領域６９においては、多数の微細なＶ溝６６が放射状に形成されている。各左側用光源３３ａ（又は右側用光源３３ｂ）の前方のＶ溝６６は、平坦面４５ａ、４５ｃに垂直な方向から見たとき、それぞれその光源３３ａ（又はその光源３３ｂ）の発光点もしくはその近傍の点を中心として放射状に形成されている。このような導光板３２ａ、３２ｂを用いた場合にも、光導入部６２側から傾斜面６５に入射した光をＶ溝６６によって回帰反射させることができるので、光導入部６２に入射した光を導光板本体６３へ導光させる途中で傾斜面６５から漏れる光を少なくでき、光の利用効率を高めることができる。よって、面光源装置６１の輝度を向上させることができる。
【００６５】
なお、図１４の導光板３２ａ、３２ｂでは、光導入部６２は設けていないが、導光板３２ａ、３２ｂの端に光導入部６２を設けてあっても差し支えない。
【００６６】
図１５は、実施形態２の面光源装置６１に用いる導光板３２ａ（又は導光板３２ｂ）のさらに他例を示す斜視図である。図１５の導光板３２ａ（又は導光板３２ｂ）では、各左側用光源３３ａ（又は各右側用光源３３ｂ）に対応する位置において、略半円錐台形状をした膨出部６７を光移行部６４の傾斜面６５に設けている。膨出部６７の外周面には、多数のＶ溝６８を連続的に形成している。このような導光板３２ａ、３２ｂでは、導光板３２ａ、３２ｂに垂直な方向から見たとき、各Ｖ溝６８が各光源３３ａ、３３ｂを中心として放射状に並ぶので、光導入部６２に入射した光を導光板本体６３へ導光させる途中で傾斜面６５から漏れる光をより少なくでき、光の利用効率を一層高めることができる。
【００６７】
（第３の実施形態）
図１６は本発明の実施形態３による面光源装置７１を示す概略断面図である。この面光源装置７１でも、図１２、図１３、図１４又は図１５に示したような導光板３２ａ及び導光板３２ｂを重ね合わせて導光体３２を形成している。しかし、面光源装置７１では、導光板３２ｂの平坦面４５ｃの前面に、低屈折率層４４を介して導光板３２ａの平坦面４５ａを重ねている。
【００６８】
このような形態でも、導光板３２ａが導光板３２ｂの陰となる領域に納まるように、導光板３２ｂの端面３８ａから引っ込めて配置されており、また、導光板３２ｂが導光板３２ａの陰となる領域に納まるように、導光板３２ａの端面３８ａから引っ込めて配置されている。よって、立体表示装置におけるクロストークを抑制して立体映像を鮮明にすることができる。
【００６９】
また、導光板３２ｂの傾斜面６５の落差分だけ導光体３２の厚みを薄くできるので、実施形態２の面光源装置６１に比べれば厚みが大きくなるが、後述の実施形態４の面光源装置８１に比べると面光源装置７１の厚みを薄くすることができる。
【００７０】
（第４の実施形態）
図１７（Ａ）は本発明の実施形態２による面光源装置８１を示す概略断面図である。この面光源装置８１では、表裏が平行な面となった平行平板状の導光板３２ａと導光板３２ｂを重ねて導光体３２が形成されている。また、導光板３２ａの表面又は裏面のうち少なくとも一方の面には、導光板３２ａの光出射面（表面と裏面のうち液晶パネル側を向いた面）から外部へ光を出射させるための微細な光学パターン（たとえば、断面三角形状に窪んだプリズム状パターンなど）が形成されている。同様に、導光板３２ｂの表面又は裏面のうち少なくとも一方の面にも、光出射面から外部へ光を出射させるための微細な光学パターンが形成されている。
【００７１】
導光板３２ａの一方端面３８ａ（光入射面）には左側用光源３３ａが対向し、また、導光板３２ｂの一方端面３８ａ（光入射面）には右側用光源３３ｂが対向している。導光板３２ａは、導光板３２ｂの陰となる領域に納まるように、導光板３２ｂの端面３８ａから引っ込めて配置されている。また、導光板３２ｂは、導光板３２ａの陰となる領域に納まるように、導光板３２ａの端面３８ａから引っ込めて配置されている。よって、この面光源装置８１でも、左側用光源３３ａ（又は右側用光源３３ｂ）の光が導光板３２ｂ（又は導光板３２ａ）内に入射して迷光となるのを防ぐことができ、立体表示装置におけるクロストークを抑制して立体映像を鮮明にすることができる。
【００７２】
また、図１７（Ａ）の面光源装置８１では、導光板３２ａの端面３８ｂが導光板３２ｂの端面３８ａよりも引っ込んでいるので、右側用光源３３ｂを実装したフレキシブルプリント基板４３ｂを導光板３２ｂの内面側（導光板３２ａとの重ね合わせ面側）に位置させることができる。また、導光板３２ｂの端面３８ｂが導光板３２ａの端面３８ａよりも引っ込んでいるので、左側用光源３３ａを実装したフレキシブルプリント基板４３ａも導光板３２ａの内面側（導光板３２ｂとの重ね合わせ面側）に位置させることができる。この結果、フレキシブルプリント基板４３ａ、４３ｂが導光板３２ａ、３２ｂの外面側に飛び出ないので、図１７（Ｂ）に示す面光源装置８２のように、フレキシブルプリント基板４３ａ、４３ｂを各導光板３２ａ、３２ｂの外面側に位置させた場合に比べて、面光源装置８１の厚みを薄くすることができる。
【００７３】
（第４の実施形態の変形例）
図１８（Ａ）及び図１８（Ｂ）は、本発明の実施形態４の変形例を示す図である。これらは平板状をした導光板３２ａ、３２ｂの端面３８ｂを端面３８ａに対して非平行となるように傾けたものである。
【００７４】
図１８（Ａ）の面光源装置では、導光板３２ａの端面３８ｂは前方（液晶パネル側）へ向かうほど端面３８ａから遠くなるように傾斜している。したがって、導光板３２ａ内を導光して端面３８ｂに達した光は、端面３８ｂで全反射して元の方向へ戻りにくくなっており、端面３８ｂで全反射することにより、あるいは端面３８ｂを透過することにより導光板３２ａの外部へ出射されやすくなっている。また、導光板３２ｂの端面３８ｂも前方へ向かうほど端面３８ａから遠くなるように傾斜している。したがって、導光板３２ｂ内を導光して端面３８ｂに達した光は、端面３８ｂで全反射して元の方向へ戻りにくくなっており、端面３８ｂで全反射することにより、あるいは端面３８ｂを透過することにより導光板３２ｂの外部へ出射されやすくなっている。
【００７５】
図１８（Ｂ）の面光源装置では、導光板３２ａの端面３８ｂは前方へ向かうほど端面３８ａから遠くなるように傾斜している。したがって、導光板３２ａ内を導光して端面３８ｂに達した光は、端面３８ｂで全反射して元の方向へ戻りにくくなっており、端面３８ｂで全反射することにより、あるいは端面３８ｂを透過することにより導光板３２ａの外部へ出射されやすくなっている。また、導光板３２ｂの端面３８ｂは前方へ向かうほど端面３８ａに近づくように傾斜している。したがって、導光板３２ｂ内を導光して端面３８ｂに達した光は、端面３８ｂで全反射して元の方向へ戻りにくくなっており、端面３８ｂで全反射することにより、あるいは端面３８ｂを透過することにより導光板３２ｂの外部へ出射されやすくなっている。
【００７６】
図１８（Ａ）、図１８（Ｂ）のような面光源装置では、端面３８ｂで全反射した光が戻り光となって元の方向へ戻っていき、本来の出射方向と異なる方向へ出射されてクロストークの原因となるのを防ぐことができる。また、導光板３２ａ、３２ｂを成形するための金型を製作する際に端面３８ｂを傾斜させておくだけでよいので、製造コストを抑えることができる。
【００７７】
なお、端面３８ｂを傾ける方向は、図１８（Ａ）、図１８（Ｂ）に示したものに限らない。
【符号の説明】
【００７８】
３１、６１、７１、８１、８２      面光源装置
３２      導光体
３２ａ      導光板
３２ｂ      導光板
３３ａ      左側用光源
３３ｂ      右側用光源
３４      光学シート
３５      液晶パネル
３６ａ      左側照明光
３６ｂ      右側照明光
３７ａ      観察者の左眼
３７ｂ      観察者の右眼
３８ａ      導光板の一方の端面
３８ｂ      導光板の他方の端面
３９      光吸収部材
４３ａ、４３ｂ      フレキシブルプリント基板
４６      反射部材
５１      立体表示装置
【図１】
2011258532.tif 000003
【図２】
2011258532.tif 000004
【図３】
2011258532.tif 000005
【図４】
2011258532.tif 000006
【図５】
2011258532.tif 000007
【図６】
2011258532.tif 000008
【図７】
2011258532.tif 000009
【図８】
2011258532.tif 000010
【図９】
2011258532.tif 000011
【図１０】
2011258532.tif 000012
【図１１】
2011258532.tif 000013
【図１２】
2011258532.tif 000014
【図１３】
2011258532.tif 000015
【図１４】
2011258532.tif 000016
【図１５】
2011258532.tif 000017
【図１６】
2011258532.tif 000018
【図１７】
2011258532.tif 000019
【図１８】
2011258532.tif 000020
【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
第１の導光板と、
前記第１の導光板の第１の端面に対向させて配置した第１の光源と、
第２の導光板と、
前記第２の導光板の第１の端面に対向させて配置した第２の光源と、
を備え、前記第１の導光板と前記第２の導光板を重ね合わせて導光体を構成した面光源装置において、
前記第１の導光板の前記第１の端面と、前記第２の導光板の前記第１の端面と反対側に位置する第２の端面とが同じ側に位置し、かつ、前記第１の導光板の前記第１の端面と反対側に位置する第２の端面と、前記第２の導光板の前記第１の端面とが同じ側に位置するようにして、前記第１の導光板と前記第２の導光板とが重ね合わされ、
前記第１の導光板の前記第２の端面が、前記第２の導光板の前記第１の端面よりも前記第２の導光板の前記第２の端面側へずれていることを特徴とする面光源装置。
【請求項２】
前記第２の導光板の前記第２の端面が、前記第１の導光板の前記第１の端面よりも前記第１の導光板の前記第２の端面側へずれていることを特徴とする、請求項１に記載の面光源装置。
【請求項３】
第１の導光板と、
前記第１の導光板の第１の端面に対向させて配置した第１の光源と、
第２の導光板と、
前記第２の導光板の第１の端面に対向させて配置した第２の光源と、
を備え、前記第１の導光板と前記第２の導光板を重ね合わせて導光体を構成した面光源装置において、
前記第１の導光板の前記第１の端面と、前記第２の導光板の前記第１の端面と反対側に位置する第２の端面とが同じ側に位置し、かつ、前記第１の導光板の前記第１の端面と反対側に位置する第２の端面と、前記第２の導光板の前記第１の端面とが同じ側に位置するようにして、前記第１の導光板と前記第２の導光板とが重ね合わされ、
前記第１の導光板が、前記第２の光源から見て前記第２の導光板の前記第１の端面により光学的に隠れる領域に位置することを特徴とする面光源装置。
【請求項４】
前記第２の導光板が、前記第１の光源から見て前記第１の導光板の前記第１の端面により光学的に隠れる領域に位置することを特徴とする、請求項３に記載の面光源装置。
【請求項５】
前記第１の光源を実装した第１の配線基板と、前記第２の光源を実装した第２の配線基板とを有し、
前記第２の配線基板の少なくとも一部を、前記第２の導光板の、前記第１の導光板が重なった側の面における前記第１の端面近傍に形成された空間に配置したことを特徴とする、請求項１または３に記載の面光源装置。
【請求項６】
前記第１の光源を実装した第１の配線基板と、前記第２の光源を実装した第２の配線基板とを有し、
前記第１の配線基板の少なくとも一部を、前記第１の導光板の、前記第２の導光板が重なった側の面における前記第１の端面近傍に形成された空間に配置したことを特徴とする、請求項２または４に記載の面光源装置。
【請求項７】
前記第１の導光板の前記第２の端面と前記第２の導光板の前記第２の端面のうち少なくとも一方の第２の端面に、光吸収部材を設けたことを特徴とする、請求項１または３に記載の面光源装置。
【請求項８】
前記第１の導光板と前記第２の導光板のうち少なくとも一方の導光板において、当該導光板の前記第２の端面が、当該導光板の前記第１の端面に対して傾いていることを特徴とする、請求項１または３に記載の面光源装置。
【請求項９】
請求項１または３に記載した面光源装置と、
前記面光源装置の前方に配置した光学シート及び液晶パネルと、
前記液晶パネルの表示を右眼用画像と左眼用画像とに交互に切り換えるとともに、当該画像の切換えに同期させて前記面光源装置の前記第１の光源と第２の光源の点灯又は消灯を交互に切り換える同期駆動装置と
を備えた立体表示装置。
【手続補正２】
【補正対象書類名】明細書
【補正対象項目名】００１６
【補正方法】変更
【補正の内容】
【００１６】
本発明に係る第１の面光源装置は、第１の導光板と、前記第１の導光板の第１の端面に対向させて配置した第１の光源と、第２の導光板と、前記第２の導光板の第１の端面に対向させて配置した第２の光源とを備え、前記第１の導光板と前記第２の導光板を重ね合わせて導光体を構成した面光源装置において、前記第１の導光板の前記第１の端面と、前記第２の導光板の前記第１の端面と反対側に位置する第２の端面とが同じ側に位置し、かつ、前記第１の導光板の前記第１の端面と反対側に位置する第２の端面と、前記第２の導光板の前記第１の端面とが同じ側に位置するようにして、前記第１の導光板と前記第２の導光板とが重ね合わされ、前記第１の導光板の前記第２の端面が、前記第２の導光板の前記第１の端面よりも前記第２の導光板の前記第２の端面側へずれていることを特徴としている。
【手続補正３】
【補正対象書類名】明細書
【補正対象項目名】００１８
【補正方法】変更
【補正の内容】
【００１８】
本発明に係る第１の面光源装置のある実施態様は、前記第２の導光板の前記第２の端面が、前記第１の導光板の前記第１の端面よりも前記第１の導光板の前記第２の端面側へずれていることを特徴としている。かかる実施態様によれば、第２の導光板の第２の端面も第１の導光板の第１の端面よりも引っ込んでいるので、第１の光源から出射した光が第２の端面から第２の導光板内に入射しにくくなる。よって、第１の光源の光が第２の導光板内に入って迷光となるのを防ぐことができ、立体表示装置に用いたときにクロストークを抑制することができる。
【手続補正４】
【補正対象書類名】明細書
【補正対象項目名】００１９
【補正方法】変更
【補正の内容】
【００１９】
本発明に係る第２の面光源装置は、第１の導光板と、前記第１の導光板の第１の端面に対向させて配置した第１の光源と、第２の導光板と、前記第２の導光板の第１の端面に対向させて配置した第２の光源とを備え、前記第１の導光板と前記第２の導光板を重ね合わせて導光体を構成した面光源装置において、前記第１の導光板の前記第１の端面と、前記第２の導光板の前記第１の端面と反対側に位置する第２の端面とが同じ側に位置し、かつ、前記第１の導光板の前記第１の端面と反対側に位置する第２の端面と、前記第２の導光板の前記第１の端面とが同じ側に位置するようにして、前記第１の導光板と前記第２の導光板とが重ね合わされ、前記第１の導光板が、前記第２の光源から見て前記第２の導光板の前記第１の端面により光学的に隠れる領域に位置することを特徴としている。ここで、第２の導光板の第１の端面により光学的に隠れる領域に位置するとは、第２の光源から発した光が第２の導光板の第１の端面に遮られて、第２の光源からの光が届かない、あるいは届きにくい位置に配置されていることを指す。
【手続補正５】
【補正対象書類名】明細書
【補正対象項目名】００２１
【補正方法】変更
【補正の内容】
【００２１】
本発明に係る第２の面光源装置のある実施態様は、前記第２の導光板が、前記第１の光源から見て前記第１の導光板の前記第１の端面により光学的に隠れる領域に位置することを特徴としている。ここで、第１の導光板の第１の端面により光学的に隠れる領域に位置するとは、第１の光源から発した光が第１の導光板の第１の端面に遮られて、第１の光源からの光が届かない、あるいは届きにくい位置に配置されていることを指す。かかる実施態様によれば、第１の光源から見て第１の導光板の第１の端面により光学的に隠れる領域（つまり、第１の導光板の第１の端面の陰になる領域）に第２の導光板も位置しているので、第１の光源から出射した光が第２の導光板内に入射しにくくなる。よって、第１の光源の光が第２の導光板内に入って迷光となるのを防ぐことができ、立体表示装置に用いたときにクロストークを抑制することができる。
【手続補正６】
【補正対象書類名】明細書
【補正対象項目名】００２２
【補正方法】変更
【補正の内容】
【００２２】
本発明に係る第１または第２の面光源装置の別な実施態様は、前記第１の光源を実装した第１の配線基板と、前記第２の光源を実装した第２の配線基板とを有し、前記第２の配線基板の少なくとも一部を、前記第２の導光板の、前記第１の導光板が重なった側の面における前記第１の端面近傍に形成された空間に配置したことを特徴としている。かかる実施態様によれば、第２の導光板の第１の端面と第２の光源との間に生じる隙間の、第１の導光板側の端を第２の配線基板によって遮蔽することができる。よって、第２の光源の光が第１の導光板側へ漏れにくくなり、この面光源装置を立体表示装置に用いたとき、クロストークをより一層抑制できる。
【手続補正７】
【補正対象書類名】明細書
【補正対象項目名】００２３
【補正方法】変更
【補正の内容】
【００２３】
本発明に係る第１または第２の面光源装置のさらに別な実施態様は、前記第１の光源を実装した第１の配線基板と、前記第２の光源を実装した第２の配線基板とを有し、前記第１の配線基板の少なくとも一部を、前記第１の導光板の、前記第２の導光板が重なった側の面における前記第１の端面近傍に形成された空間に配置したことを特徴としている。かかる実施態様によれば、第１の導光板の第１の端面と第１の光源との間に生じる隙間の、第２の導光板側の端を第１の配線基板によって遮蔽することができる。よって、第１の光源の光が第２の導光板側へ漏れにくくなり、この面光源装置を立体表示装置に用いたとき、クロストークをより一層抑制することができる。
【手続補正８】
【補正対象書類名】明細書
【補正対象項目名】００２６
【補正方法】変更
【補正の内容】
【００２６】
本発明に係る立体表示装置は、本発明に係る第１または第２の面光源装置と、前記面光源装置の前方に配置した光学シート及び液晶パネルと、前記液晶パネルの表示を右眼用画像と左眼用画像とに交互に切り換えるとともに、当該画像の切換えに同期させて前記面光源装置の前記第１の光源と第２の光源の点灯又は消灯を交互に切り換える同期駆動装置とを備えている。かかる立体表示装置によれば、クロストークを低減することができるので、立体表示装置により生成される立体映像をより鮮明にすることができる。
【手続補正９】
【補正対象書類名】明細書
【補正対象項目名】００５９
【補正方法】変更
【補正の内容】
【００５９】
面光源装置６１に用いる導光板３２ａ、３２ｂは、図１２に示すように、板厚の厚い光導入部６２、板厚の薄い導光板本体６３、光導入部６２と導光板本体６３の間をつなぐ光移行部６４によって構成されている。両導光板３２ａ、３２ｂの下面は平坦面４５ａとなっており、光導入部６２の平坦面４５ａと対向する上面は平坦面４５ａと略並行な平面となり、導光板本体６３の平坦面４５ａと対向する面も平坦面４５ａと略並行な平坦面４５ｃとなり、光移行部６４の平坦面４５ａと対向する面は、光導入部６２の上面から導光板本体６３の平坦面４５ｃに向けて下り傾斜した傾斜面６５となっている。また、光導入部６２の厚みは、光源３３ａ、３３ｂの光出射窓の高さよりも厚く、光源３３ａ、３３ｂの高さよりも薄くなっている。導光板本体６３は、光導入部６２の厚みのほぼ１／２くらいの厚みを有しており、導光板本体６３の平坦面４５ａ、４５ｃのいずれか一方の面には導光板本体６３の光出射面（平坦面４５ａ、４５ｃのうち液晶パネル側を向いた面）から外部へ光を出射させるための微細な光学パターンが形成されている（たとえば、断面三角形状に窪んだプリズム状パターンなどが、平行にあるいは円弧状に配列されている）。